【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子を介して撮像された撮像映像を表示可能な映像表示部と、
前記映像表示部に表示された撮像映像に含まれる被写体を選択可能なタッチパネルと、
前記映像表示部に、前記撮像素子が撮像した撮像映像、又は、前記撮像素子が撮像した撮像映像の一部の領域を切出して拡大表示するための切出し映像、を表示するように制御する制御部と、
ユーザが操作することで前記映像表示部に表示される映像を前記撮像映像から前記切出し映像に切り替えることが可能な操作入力インターフェースと、
動画撮影の際に前記撮像素子を介して撮像された撮像映像の録画の開始及び終了をユーザが操作することが可能な録画ボタンと、
を備え、
前記制御部は、
前記映像表示部に表示された撮像映像に含まれる被写体が前記タッチパネルにより選択されると、前記選択された被写体を認識して追跡するように制御し、
前記タッチパネルにより選択され追跡される被写体の撮像映像における位置に応じて、前記切出し映像として前記撮像映像から切り出される領域を変えるように制御し、
前記操作入力インターフェースによる操作により前記タッチパネルで選択された被写体を含む切出し映像が前記映像表示部に表示されているときに、前記録画ボタンによる動画撮影における録画の開始の操作を検知すると、前記切出し映像から切り替えて前記撮像映像を前記映像表示部に表示するように制御することを特徴とする撮像装置。
【請求項２】
請求項１記載の撮像装置であって、
前記操作入力インターフェースは、マニュアルでのフォーカス操作の入力が可能なインターフェースであり、
前記制御部は、前記操作入力インターフェースによるマニュアルでのフォーカス操作の入力を検知すると、フォーカス位置を制御し、かつ、前記撮像映像から切り替えて前記切出し映像を前記映像表示部に表示するように制御することを特徴とする撮像装置。
【請求項３】
請求項１又は２記載の撮像装置であって、
前記制御部は、前記録画ボタンにより動画撮影の録画が開始されると、録画中は、前記操作入力インターフェースによる操作があった場合でも前記切出し映像に切り替えることなく、前記撮像映像を前記映像表示部に表示するように制御することを特徴とする撮像装置。
【請求項４】
請求項１乃至３のいずれかに記載の撮像装置であって、
前記映像表示部に表示された撮像映像に含まれる人物の顔を検出して追跡する制御モードを備え、
前記制御部は、前記制御モードにおいて、
前記追跡される人物の顔の撮像映像における位置に応じて、前記切出し映像として前記撮像映像から切り出される領域を変えるように制御し、
前記操作入力インターフェースによる操作により前記人物の顔を含む切出し映像が前記映像表示部に表示されているときに、前記録画ボタンによる動画撮影における録画の開始の操作を検知すると、前記切出し映像から切り替えて前記撮像映像を前記映像表示部に表示するように制御することを特徴とする撮像装置。
【請求項５】
撮像素子と、
前記撮像素子を介して撮像された撮像映像を表示可能な映像表示部と、
前記映像表示部に表示された撮像映像に含まれる被写体を選択可能なタッチパネルと、
前記映像表示部に、前記撮像素子が撮像した撮像映像、又は、前記撮像素子が撮像した撮像映像の一部の領域を切出して拡大表示するための切出し映像と前記撮像映像との重畳映像、を表示するように制御する制御部と、
ユーザが操作することで前記映像表示部に表示される映像を前記撮像映像から前記重畳映像に切り替えることが可能な操作入力インターフェースと、
動画撮影の際に前記撮像素子を介して撮像された撮像映像の録画の開始及び終了をユーザが操作することが可能な録画ボタンと、
を備え、
前記制御部は、
前記映像表示部に表示された撮像映像に含まれる被写体が前記タッチパネルにより選択されると、前記選択された被写体を認識して追跡するように制御し、
前記タッチパネルにより選択され追跡される被写体の撮像映像における位置に応じて、前記切出し映像として前記撮像映像から切り出される領域を変えるように制御し、
前記操作入力インターフェースによる操作により前記タッチパネルで選択された被写体を含む切出し映像が撮像映像との重畳映像として前記映像表示部に表示されているときに、前記録画ボタンによる動画撮影における録画の開始の操作を検知すると、前記重畳映像から切り替えて前記撮像映像を前記映像表示部に表示するように制御することを特徴とする撮像装置。
【請求項６】
請求項５記載の撮像装置であって、
前記操作入力インターフェースは、マニュアルでのフォーカス操作の入力が可能なインターフェースであり、
前記制御部は、前記操作入力インターフェースによるマニュアルでのフォーカス操作の入力を検知すると、フォーカス位置を制御し、かつ、前記撮像映像から切り替えて前記重畳映像を前記映像表示部に表示するように制御することを特徴とする撮像装置。
【請求項７】
請求項５又は６記載の撮像装置であって、
前記制御部は、前記録画ボタンにより動画撮影の録画が開始されると、録画中は、前記操作入力インターフェースによる操作があった場合でも前記重畳映像の表示に切り替えることなく、前記撮像映像を前記映像表示部に表示するように制御することを特徴とする撮像装置。
【請求項８】
請求項５乃至７のいずれかに記載の撮像装置であって、
前記映像表示部に表示された撮像映像に含まれる人物の顔を検出して追跡する制御モードを備え、
前記制御部は、前記制御モードにおいて、
前記追跡される人物の顔の撮像映像における位置に応じて、前記切出し映像として前記撮像映像から切り出される領域を変えるように制御し、
前記操作入力インターフェースによる操作により前記人物の顔を含む切出し映像が撮像映像との重畳映像として前記映像表示部に表示されているときに、前記録画ボタンによる動画撮影における録画の開始の操作を検知すると、前記重畳映像から切り替えて前記撮像映像を前記映像表示部に表示するように制御することを特徴とする撮像装置。
【請求項９】
撮像素子を介して撮像された撮像映像を映像表示部に表示するステップと、
タッチパネルにより前記映像表示部に表示された撮像映像に含まれる被写体を選択されると、前記選択された被写体を認識して追跡し、追跡される被写体の撮像映像における位置に応じて前記撮像映像の一部の領域を切出して拡大表示するための切出し映像とし、前記映像表示部に前記切出し映像を表示するステップと、
動画撮影の際にユーザによる録画ボタンの操作を受け、前記撮像素子を介して撮像された撮像映像の録画の開始及び終了を行うステップと、
を備え、
ユーザによる操作入力インターフェースの操作を受け、前記映像表示部に表示される映像を前記撮像映像と前記切出し映像との間で切り替えるとともに、
前記操作入力インターフェースによる操作により前記切出し映像が前記映像表示部に表示されているときに、前記録画ボタンによる動画撮影における録画の開始の操作を検知すると、前記切出し映像から切り替えて前記撮像映像を前記映像表示部に表示することを特徴とする撮像装置における映像表示方法。
【請求項１０】
撮像素子を介して撮像された撮像映像を映像表示部に表示するステップと、
タッチパネルにより前記映像表示部に表示された撮像映像に含まれる被写体を選択されると、前記選択された被写体を認識して追跡し、追跡される被写体の撮像映像における位置に応じて前記撮像映像の一部の領域を切出して拡大表示するための切出し映像とし、前記切出し映像と前記撮像映像との重畳映像を前記映像表示部に表示するステップと、
動画撮影の際にユーザによる録画ボタンの操作を受け、前記撮像素子を介して撮像された撮像映像の録画の開始及び終了を行うステップと、
を備え、
ユーザによる操作入力インターフェースの操作を受け、前記映像表示部に表示される映像を前記撮像映像と前記重畳映像との間で切り替えるとともに、
前記操作入力インターフェースによる操作により前記重畳映像が前記映像表示部に表示されているときに、前記録画ボタンによる動画撮影における録画の開始の操作を検知すると、前記重畳映像から切り替えて前記撮像映像を前記映像表示部に表示することを特徴とする撮像装置における映像表示方法。
【手続補正２】
【補正対象書類名】明細書
【補正対象項目名】発明の名称
【補正方法】変更
【補正の内容】
【発明の名称】撮像装置、及び撮像装置における映像表示方法